(57)【要約】【課題】本発明は、雄ラッチのフックに形成される突出部が、アームの三つの側面から突出された三つの突出面を有するように形成されるバックルを提供する。【解決手段】本発明は、バックルにおいて、それぞれ三つの突出面を有する一対のフックを含む雄ラッチ及び、前記雄ラッチが挿入され、前記雄ラッチの前記フックのそれぞれに形成される前記突出面を支持して、前記雄ラッチと結合される雌レセプタクルを含むことを特徴とする。【選択図】図４
2010022807.tif 000002
【特許請求の範囲】
【請求項１】
バックルにおいて、
それぞれ三つの突出面を有する一対のフックを含む雄ラッチ、及び、
前記雄ラッチが挿入され、前記雄ラッチの前記フックのそれぞれに形成される前記突出面を支持して、前記雄ラッチと結合される雌レセプタクルを含むことを特徴とする、バックル。
【請求項２】
前記雄ラッチは、
第１ベルトと連結している第１端部、及び、
前記第１端部から延長され、端部にはそれぞれ前記三つの突出面を有する一対のフックを含むことを特徴とする、請求項１に記載のバックル。
【請求項３】
前記雌レセプタクルは、
第２ベルトと連結している第２端部、
前記第２端部の反対側面に形成され前記一対のフックが挿入される挿入部、及び、
前記挿入部を通して挿入された前記一対のフックのそれぞれの端部に形成された前記三つの突出面が前記挿入部の外部に突出されるようにし、前記突出面のそれぞれを固定させるための受容部を含むことを特徴とする、請求項１に記載のバックル。
【請求項４】
前記一対のフックのそれぞれは、
前記第１端部から延長されるアーム、及び、
前記アームの端部において、前記アームの三つの側面から突出された前記三つの突出面を有する突出部を含むことを特徴とする、請求項２に記載のバックル。
【請求項５】
前記突出部は、
前記アームの上側面を形成する第１面から突出された第１突出面を有する第１突出部、
前記アームの左側面を形成する第２面から突出された第２突出面を有する第２突出部、及び、
前記アームの右側面を形成する第３面から突出された第３突出面を有する第３突出部を含むことを特徴とする、請求項４に記載のバックル。
【請求項６】
前記突出部の前記三つの突出面は、前記アームの延長方向の垂直方向から一定の角度を有するように斜めに形成されることを特徴とする、請求項４に記載のバックル。
【請求項７】
前記突出部の前記三つの突出面の上部面は、曲線をなることを特徴とする、請求項４に記載のバックル。
【請求項８】
前記突出部は、前記第１突出部の反対方向に突出された支持部をさらに含むことを特徴とする、請求項５に記載のバックル。
【請求項９】
前記雄ラッチは、前記第１端部から延長され、前記一対のフックの中央に配置されるガイド突起をさらに含むことを特徴とする、請求項２に記載のバックル。
【請求項１０】
前記第１突出部は、前記第２突出部及び前記第３突出部と互いに階段状で形成されることを特徴とする、請求項５に記載のバックル。
【請求項１１】
前記受容部は、前記雌レセプタクルの両側面の外枠方向の各々から、前記雌レセプタクルの中心方向に曲げられた形態で構成されることを特徴とする、請求項３に記載のバックル。
【請求項１２】
前記受容部を構成する四つの面のうち、前記挿入部の開放面に向こう面には、前記三つの突出面が通過し、支持される係止突起が形成されることを特徴とする、請求項３に記載のバックル。
【請求項１３】
前記雌レセプタクルの内部面のうち、前記係止突起の内側面には、前記係止突起を支持するための支持台が形成されることを特徴とする、請求項１２に記載のバックル。
【請求項１４】
前記雌レセプタクルの内部には、前記ガイド突起をガイドするためのガイドが形成されることを特徴とする、請求項９に記載のバックル。
【発明の詳細な説明】
【技術分野】
【０００１】
本発明は、雌レセプタクル(ｆｅｍａｌｅ  ｒｅｃｅｐｔａｃｌｅ)及び雄ラッチ(ｍａｌｅ  ｌａｔｃｈ)が互いに着脱自在に製作されたバックルに係り、より詳しくは、雄ラッチの形状が変化するバックルに関する。
【背景技術】
【０００２】
一般に、バックルは、雌レセプタクル及び雄ラッチからなり、腰ベルト、登山用リュックサックや学生用カバン等の肩紐等に幅広く用いられている。
【０００３】
すなわち、バックルは、雌レセプタクル及び雄ラッチが互いに着脱自在に連結されているもので、雄ラッチには弾性力を有する一対のフックが形成され、雌レセプタクルには雄ラッチのフックを受容できる受容部が形成され、雌レセプタクル及び雄ラッチのそれぞれの端部には、ベルトや肩紐等(以下、簡単に“ベルト”と称する)の端部と結合される連結器が具備される。
【０００４】
図１〜図３は、従来のバックルの多様な構成を示す例示図である。
【０００５】
従来のバックルは、図１〜図３に示すように、雌レセプタクル１２ａ〜１２ｃ及び雄ラッチ１１ａ〜１１ｃからなる。
【０００６】
雄ラッチ１１ａ〜１１ｃには、中央にガイド突起が形成され、両側に一対のフックが形成される。
【０００７】
雌レセプタクル１２ａ〜１２ｃには、雄ラッチ１１ａ〜１１ｃに形成されたガイド突起と一対のフックとが挿入される挿入部(図示せず)が形成され、両側に曲面をなす受容部が形成されて、雄ラッチ１１ａ〜１１ｃのフックが係止されるように構成される。
【０００８】
一方、雌レセプタクル１２ａ〜１２ｃ及び雄ラッチ１１ａ〜１１ｃのそれぞれの端部に形成された連結器により、雌レセプタクル１２ａ〜１２ｃ及び雄ラッチ１１ａ〜１１ｃがベルトに連結される。
【０００９】
前述したような従来のバックルの動作方法は、次の通りである。
【００１０】
雄ラッチ１１ａ〜１１ｃ及び雌レセプタクル１２ａ〜１２ｃは、弾性力を有するプラスチック材質で成形されているため、雄ラッチ１１ａ〜１１ｃのフックを形成するアーム１４ａ〜１４ｃ及び突出部１３ａ〜１３ｃが、雌レセプタクル１２ａ〜１２ｃの受容部に挿入される時、中央のガイド突起方向に変形されて挿入される。このとき、雌レセプタクル１２ａ〜１２ｃの受容部にフックが位置する場合、フックが元の状態に復元されながら、フックの突出部１３ａ〜１３ｃが受容部の係止突起に係止されることで、雄ラッチ１１ａ〜１１ｃ及び雌レセプタクル１２ａ〜１２ｃが結合される。
【００１１】
これとは反対に、雌レセプタクル１２ａ〜１２ｃの受容部に位置した雄ラッチ１１ａ〜１１ｃのフックが使用者により内側に押し入れると、フックの突出部１３ａ〜１３ｃａが受容部の係止突起から逸脱しながら、結合されていた雌レセプタクル１２ａ〜１２ｃ及び雄ラッチ１１ａ〜１１ｃが分離される。
【００１２】
しかしながら、従来のバックルは、受容部の係止突起と接するフックの突出部１３ａ〜１３ｃの突出面が一つ又は二つの側面に形成されているため、雄ラッチ１１ａ〜１１ｃ及び雌レセプタクル１２ａ〜１２ｃの結合力が弱くなって、外部の小さな圧力によっても雄ラッチ１１ａ〜１１ｃが雌レセプタクル１２ａ〜１２ｃから分離され易いという問題点がある。
【００１３】
例えば、図１に示すように、特許文献１、韓国特許登録第０４５２５６５号には、雄ラッチ１１ａのフック突出部１３ａがアーム１４ａの外部面を互いに異なる高さで囲むように延長されているものが開示されている。雄ラッチ１１ａのフックは、アーム１４ａの上側面、すなわち、第１面の全部と、アーム１４ａの両側面、すなわち、第２の面及び第３の面を極の一部分として囲む“Ｖ”字状の突出面からなる。
図２に示す従来の雄ラッチ１１ｂのフックは、突出部１３ｂがアーム１４ｂの両側面、すなわち、第２面及び第３面から同一の高さに延長されており、図３に示す従来の雄ラッチ１１ｃのフックは、突出部１３ｃがアーム１４ｃの上側面、すなわち、第１面から同一の高さに延長された矩形の突出面からなる。
【００１４】
すなわち、従来のバックルに形成されている突出部１３ａ〜１３ｃは、アーム１４ａ〜１４ｃの一側面又は両側面から突出されているため、係止突起との接触面が小さくなる。これにより、係止突起との結合力が低下するという問題点がある。
【００１５】
さらに、前述したような従来のバックルは、雄ラッチ１１ａ〜１１ｃの突出部１３ａ〜１３ｃが一つ又は二つの突出面からなるため、力の分散力が小さくなる。よって、ベルトから過度な力が印加されると、突出部１３ａ〜１３ｃの破損又は雌レセプタクル１２ａ〜１２ｃの係止突起の破損により、バックルのオープンが発生し得るという問題点がある。
【特許文献１】韓国特許登録第０４５２５６５号明細書
【発明の開示】
【発明が解決しようとする課題】
【００１６】
本発明は前記のような点に鑑みてなされたものであり、本発明の目的は、雄ラッチのフックに形成される突出部が、アームの三つの側面から突出された三つの突出面を有するように形成されるバックルを提供することにある。
【課題を解決するための手段】
【００１７】
前記目的を達成するための本発明のバックルは、それぞれ三つの突出面を有する一対のフックを含む雄ラッチ、及び、前記雄ラッチが挿入され、前記雄ラッチの前記フックのそれぞれに形成される前記突出面を支持して、前記雄ラッチと結合される雌レセプタクルを含むことを特徴とする。
【００１８】
以下、本発明のその他の特徴を列挙する。
前記雄ラッチは、第１ベルトと連結している第１端部、及び、前記第１端部から延長され、端部にはそれぞれ前記三つの突出面を有する一対のフックを含む。
【００１９】
前記雌レセプタクルは、第２ベルトと連結している第２端部、前記第２端部の反対側面に形成され、前記一対のフックが挿入される挿入部、及び、前記挿入部を通して挿入された前記一対のフックのそれぞれの端部に形成された前記三つの突出面が前記挿入部の外部に突出されるようにし、前記突出面のそれぞれを固定させるための受容部を含む。
【００２０】
前記一対のフックのそれぞれは、前記第１端部から延長されるアーム、及び、前記アームの端部において、前記アームの三つの側面から突出された前記三つの突出面を有する突出部を含む。
【００２１】
前記突出部は、前記アームの上側面を形成する第１面から突出された第１突出面を有する第１突出部、前記アームの左側面を形成する第２面から突出された第２突出面を有する第２突出部、及び、前記アームの右側面を形成する第３面から突出された第３突出面を有する第３突出部を含む。
【００２２】
前記突出部の前記三つの突出面は、前記アームの延長方向の垂直方向から一定の角度を有するように斜めに形成されることが好ましい。
【００２３】
前記突出部の前記三つの突出面の上部面は、曲線をなることが好ましい。
【００２４】
前記突出部は、前記第１突出部の反対方向に突出された支持部をさらに含むことが好ましい。  
【００２５】
前記雄ラッチは、前記第１端部から延長され、前記一対のフックの中央に配置されるガイド突起をさらに含むことが好ましい。  
【００２６】
前記第１突出部は、前記第２突出部及び前記第３突出部と互いに階段状で形成されることが好ましい。
【００２７】
前記受容部は、前記雌レセプタクルの両側面の外枠方向の各々から、前記雌レセプタクルの中心方向に曲げられた形態で構成されることが好ましい。
【００２８】
前記受容部を構成する四つの面のうち、前記挿入部の開放面に向こう面には、前記三つの突出面が通過し、支持される係止突起が形成されることが好ましい。
【００２９】
前記雌レセプタクルの内部面のうち、前記係止突起の内側面には、前記係止突起を支持するための支持台が形成されることが好ましい。
【００３０】
前記雌レセプタクルの内部には、前記ガイド突起をガイドするためのガイドが形成されることが好ましい。
【発明の効果】
【００３１】
本発明は、雄ラッチのフックに形成される突出部が、アームの三つの側面から突出された三つの突出面を有するため、雌レセプタクルとの結合面積が広くなることで、バックルの結合力を増大させることができる。
【００３２】
また、本発明は、三つの突出面に力が分散されるため、雄ラッチの突出部の破損又は雌レセプタクルの係止突起の破損を防止できる。
【発明を実施するための最良の形態】
【００３３】
以下、添付図面に基づき、本発明の好適な実施例を詳細に説明する。
【００３４】
図４は、本発明によるバックルの雄ラッチ及び雌レセプタクルが分離されている状態を示す斜視図であり、図５は、図４に示す雌レセプタクルの詳細斜視図である。
【００３５】
本発明によるバックルは、図４に示すように、雄ラッチ１１０及び雌レセプタクル１２０からなり、雄ラッチ１１０及び雌レセプタクル１２０は、自体的に弾性力を有するプラスチック材質で成形されることが好ましい。
【００３６】
雄ラッチ１１０は、ベルトと結合される第１端部１１１と、第１端部１１１の中央から突出されているガイド突起１１２と、ガイド突起１１２を中心として第１端部１１１の両側面から突出された一対のフック１１５とを含み、特に、フック１１５が雌レセプタクル１２０と結合されるように構成されている。
【００３７】
第１端部１１１は、雄ラッチ１１０がベルトと結合される部分である。図４に示すように、第１端部１１１の一側にはベルトを結合させる連結器が形成されており、第１端部１１１のもう一側にはガイド突起１１２及び一対のフック１１５が突出されている。
【００３８】
ガイド突起１１２は、一対のフック１１５の中央に形成されたもので、一対のフック１１５が雌レセプタクル１２０に挿入される基準位置をガイドする。しかしながら、ガイド突起１１２は、必ずしも具備されていなくて良い。
【００３９】
フック１１５は、ガイド突起１１２を中心として第１端部１１１の両側面から突出されたもので、雌レセプタクル１２０に挿入されて雌レセプタクル１２０と実質的に結合される部分である。さらに、フック１１５は、図４に示すように、第１端部１１１から延長されるアーム１１３と、アーム１１３の端部において、アーム１１３の三つの側面から突出された三つの突出面を有する突出部１１４とからなる。  
【００４０】
すなわち、突出部１１４は、アーム１１３の上側面、すなわち第１面から突出された第１突出面を有する第１突出部１１４ａと、アーム１１３の左側面、すなわち第２面から突出された第２突出面を有する第２突出部１１４ｂと、アーム１１３の右側面、すなわち第３面から突出された第３突出面を有する第３突出部１１４ｃとからなる。
【００４１】
雌レセプタクル１２０は、フック１１５が挿入されて結合されるもので、ベルトと結合される第２端部１２１と、第２端部１２１の反対側面に形成され、雄ラッチ１１０の一対のフック１１５(及びガイド突起１１２)が挿入される挿入部１２５と、挿入部１２５を通して挿入された一対のフック１１５に形成された突出部１１４が挿入部１２５の外部に突出されるようにし、突出部１１４の各々を固定させるための受容部１２２とからなる。
【００４２】
第２端部１２１は、雌レセプタクル１２０がベルトと結合される部分である。図４に示すように、第２端部１２１にはベルトを結合させる連結器が形成される。
【００４３】
挿入部１２５は、第２端部１２１の反対側面で開放面を有するように形成されたもので、挿入部１２５の開放面を通して一対のフック１１５(及びガイド突起１１２)が挿入される。一方、雄ラッチ１１０にガイド突起１１２が形成されている場合、挿入部１２５の内部には、ガイド突起１１２をガイドするためのガイド１２６がさらに含まれている。すなわち、ガイド１２６によりガイド突起１１２が位置合せされることで、ガイド突起１１２の両側に形成されている一対のフック１１５が受容部１２２に正確に挿入される。
【００４４】
受容部１２２は、挿入部１２５を通して挿入された一対のフック１１５に形成される突出部１１４が挿入部１２５の外部に突出されるようにし、突出部１１４が雌レセプタクル１２０から分離されないようにするためのもので、雌レセプタクル１２０の両側面の外枠方向の各々から雌レセプタクル１２０の中心方向に曲げられた形態で構成されている。また、曲げられた部分は、雌レセプタクル１２０の内部及び外側が連結されるように貫通されている。よって、挿入部１２５を通して雌レセプタクル１２０の内部に挿入された突出部１１４は、さらに受容部１２２を通して外部に突出されることができる。
【００４５】
一方、受容部１２２を構成する面のうち、挿入部１２５の開放面に向こう面には、突出部１１４が外部に突出されるようにし、突出された突出部１１４がさらに受容部１２２を離脱しないようにするために、図４に示すように、突出部１１４と類似している形状の係止突起１２３が形成される。すなわち、係止突起１２３は、突出部１１４の三つの突出面と類似している形状で形成され、突出部１１４の貫通又は係止が可能であるように構成される。
【００４６】
また、係止突起１２３の内側面、すなわち、雌レセプタクル１２０の内部面のうちの係止突起１２３が形成されている面には、図５に示すように、係止突起１２３を支持するための支持台１２４が具備される。すなわち、係止突起１２３は、突出部１１４との結合により力を受ける部分であって、他の部分より耐久性が一層要求されるため、係止突起１２３の内側面に支持台１２４がさらに具備され得る。
【００４７】
図６は、図４に示す雄ラッチのフックの詳細例示図であって、特に、フックの右側面を示すものである。
【００４８】
雄ラッチ１１０のフック１１５は、前述したように、第１端部１１１の両側面から突出されたもので、雌レセプタクル１２０に挿入されて雌レセプタクル１２０と実質的に結合される部分である。
【００４９】
本発明に適用されるフック１１５は、第１端部１１１から延長されるアーム１１３と、アーム１１３の端部から突出された突出面を有する突出部１１４とからなる。特に、本発明は、突出部１１４が三つの突出面を有するように構成されている。すなわち、突出部１１４の第１突出面を形成する第１突出部１１４ａは、アーム１１３の上側面から突出され、突出部１１４の第３面を形成する第３突出部１１４ｃは、アーム１１３の右側面から突出される。
【００５０】
突出部１１４の第２突出面を形成する第２突出部１１４ｂは、アーム１１３の左側面から突出されるもので、第３突出部１１４ｃの反対側面に形成されているため、図６には示されていない。
【００５１】
突出部１１４の突出面は、図６に示すように、アーム１１３の延長方向の垂直方向から一定の角度を有するように斜めに形成される。すなわち、突出部１１４の突出面は、アーム１１３の表面と垂直をなすが、所定の角度(９０゜未満)を有することで、表面積を増加させることができ、力を効率よく分散させることができる。
【００５２】
一方、図６に示すように、突出部１１４の下方に突出された支持部１１４ｄは、突出部１１４を支持する機能を遂行する。すなわち、支持部１１４ｄは、第１突出部〜第３突出部１１４ａ〜１１４ｃに全部連結されており、突出部１１４を支持する機能を遂行する。
【００５３】
図７は、図４に示す雄ラッチのフックの他の詳細例示図であって、特に、図６のＡ方向から見たフックの断面を示す。
【００５４】
すなわち、図７は、フックの突出部の形状をより詳細に示すためのもので、アームの切断後、図６のＡ方向から見た突出部の状態を示すものである。  
【００５５】
よって、図７の斜線表示された部分はアーム１１３の切断面であり、アーム１１３を基準として、上方に突出された部分は第１突出部１１４ａの突出面であり、左側に突出された部分は第２突出部１１４ｂの突出面であり、右側に突出された部分は第３突出部１１４ｃの突出面であり、下方に突出された部分は支持部１１４ｄである。ここで、第２突出部１１４ｂ及び第３突出部１１４ｃの上段に形成されるもう一つの曲面は、第２突出部１１４ｂ及び第３突出部１１４ｃの上部面が、図６に示すように、上部面に突出された曲線形態で構成されているために現れる面である。
【００５６】
一方、第１突出部〜第３突出部１１４ａ〜１１４ｃの上部面は、互いに連結している一つの曲面をなすように形成され得るが、本発明は、図６に示すように、段顎をなすように構成される。すなわち、第２突出部１１４ｂ及び第１突出部１１４ａが連結している面と、第３突出部１１４ｃ及び第１突出部１１４ａが連結している面とは、図７に示すように段顎が形成される。本発明の前述したような構成は、デザインの側面だけでなく、材料の節減においても好ましい。
【００５７】
図８は、図４に示す本発明によるバックルの雄ラッチ及び雌レセプタクルが結合されている状態を示す斜視図であって、図４〜図８を参照して本発明によるバックルの動作方法を説明する。前述したように、本発明によるバックルには、ガイド突起が必ずしも具備されていなくよいが、以下では、説明の便宜上、ガイド突起が形成されているものとする。
【００５８】
雄ラッチ１１０及び雌レセプタクル１２０を結合させたい使用者は、まず、雄ラッチ１１０の一対のフック１１５及びガイド突起１１２を雌レセプタクル１２０の挿入部１２５に挿入する。このとき、ガイド突起１１２は、雌レセプタクル１２０の内部面に形成されたガイド１２６によりガイドされる。
【００５９】
一方、挿入部１２５に挿入されて受容部１２２の方向に挿入される突出部１１４は、受容部１２２に結合される時、中央のガイド突起１１２の方向に変形されて結合される。すなわち、受容部１２２の係止突起１２３は、挿入部１２５を通して挿入された突出部１１４の位置よりも雌レセプタクル１２０の中心部に向かっているため、係止突起１２３を通過する突出部１１４は、係止突起１２３の方向、すなわち、雌レセプタクル１２０の中心方向に曲げられる。よって、突出部１１４を支持するアーム１１３も、雌レセプタクル１２０の中心方向に曲げられる。
【００６０】
しかしながら、突出部１１４が完全に係止突起１２３を通過して受容部１２２の開放面に位置すれば、弾性体からなるアーム１１３が復元力により元来の位置、すなわち、雌レセプタクル１２０の外枠方向に曲げられる。これにより、突出部１１４も元来の位置に復元される。
【００６１】
一方、前述したように突出部１１４が元来の位置に復元されると、突出部１１４が受容部１２２の係止突起１２３に係止されることで、雄ラッチ１１０及び雌レセプタクル１２０が結合される。すなわち、突出部１１４の三つの突出部１１４ａ〜１１４ｃが係止突起１２３に係止されるため、さらに挿入部１２５の方向に挿入されることができない。よって、雄ラッチ１１０及び雌レセプタクル１２０が結合された状態を維持することになる。
【００６２】
次に、雄ラッチ１１０及び雌レセプタクル１２０を分離したい使用者は、雌レセプタクル１２０の受容部１２２に位置した雄ラッチ１１０の突出部１４０を雌レセプタクル１２０の内部に押し入れる。
【００６３】
前述したように、アーム１１３は、弾性体からなるため、雌レセプタクル１２０の内部に曲げられる。これにより、突出部１１４が受容部１２２の係止突起１２３を通過することで、結合されている雌レセプタクル１２０及び雄ラッチ１１０が分離されることができる。
【００６４】
雌レセプタクル１２０から分離された雄ラッチ１１０のアーム１１３は、復元力により元来の形状に復元される。
【００６５】
なお、本発明の詳細な説明では具体的な実施形態について説明したが、本発明の要旨から逸脱しない範囲内で多様に変形・実施が可能である。よって、本発明の範囲は、前述の実施形態に限定されるものではなく、特許請求の範囲の記載及びこれと均等なものに基づいて定められるべきである。
【産業上の利用可能性】
【００６６】
本発明は、腰ベルト、登山用リュックサックや学生用カバン等の肩紐等に幅広く用いられバックルに適用できる。
【図面の簡単な説明】
【００６７】
【図１】従来のバックルの多様な構成を示す例示図である。
【図２】従来のバックルの多様な構成を示す例示図である。
【図３】従来のバックルの多様な構成を示す例示図である。
【図４】本発明によるバックルの雄ラッチ及び雌レセプタクルが分離されている状態を示す斜視図である。
【図５】図４に示す雌レセプタクルの詳細斜視図である。
【図６】図４に示す雄ラッチのフックの詳細例示図である。
【図７】図４に示す雄ラッチのフックの他の詳細例示図である。
【図８】図４に示す本発明によるバックルの雄ラッチ及び雌レセプタクルが結合されている状態を示す斜視図である。
【符号の説明】
【００６８】
１１０  雄ラッチ
１１１  第１端部
１１２  ガイド突起
１１３  アーム
１１４  突出部
１１５  フック
１２０  雌レセプタクル
１２１  第２端部
１２２  受容部
１２３  係止突起
１２４  支持台
１２５  挿入部
【図１】
2010022807.tif 000003
【図２】
2010022807.tif 000004
【図３】
2010022807.tif 000005
【図４】
2010022807.tif 000006
【図５】
2010022807.tif 000007
【図６】
2010022807.tif 000008
【図７】
2010022807.tif 000009
【図８】
2010022807.tif 000010